(57)【特許請求の範囲】
【請求項１】
印刷要求を出力する印刷クライアント装置と、
前記印刷クライアント装置からの印刷要求に含まれる印刷データを蓄積し、プリンタ装置に蓄積した印刷データを送信するサーバ装置と、
前記サーバ装置から送られてきた印刷データを記録手段により用紙に記録出力するプリンタ装置とがネットワークに接続されたプリンタアクセス制御システムであって、
前記サーバ装置は、
前記ネットワークに接続された複数のプリンタ装置をグループ化して登録したプリンタ管理テーブルを管理するプリンタグループ管理手段と、
前記プリンタ装置のグループ毎にユーザ情報を登録したプリンタアクセス管理テーブルを管理し、前記印刷クライアント装置からの印刷要求に含まれる印刷依頼プリンタ装置が、前記プリンタグループ管理手段の管理するプリンタ管理テーブルに含まれていない場合、または前記印刷クライアント装置からの印刷要求に含まれるユーザ名が、前記プリンタアクセス管理テーブルに登録されていない場合に、前記印刷クライアント装置からの印刷要求を拒否するアクセス制限手段と、
を有することを特徴とするプリンタアクセス制御システム。
【請求項２】
前記サーバ装置は、
複数のユーザ名をグループ化して登録したユーザグループ管理テーブルを管理するユーザグループ管理手段を有し、
前記アクセス制限手段は、
前記印刷クライアント装置からの印刷要求に含まれる印刷依頼プリンタ装置が、前記プリンタグループ管理手段の管理する前記プリンタ管理テーブルに含まれていない場合、または前記印刷クライアント装置からの印刷要求に含まれるユーザ名が、前記プリンタアクセス管理テーブル及び前記ユーザグループ管理テーブルに登録されていない場合に、前記印刷クライアント装置からの印刷要求を拒否することを特徴とする請求項１記載のプリンタアクセス制御システム。
【請求項３】
前記サーバ装置は、
登録されたユーザのパスワード情報を登録したパスワード情報テーブルを管理するユーザ情報管理手段を有し、
前記アクセス制限手段は、
前記印刷クライアント装置からの印刷要求に含まれる印刷依頼プリンタ装置が、前記プリンタグループ管理手段の管理する前記プリンタ管理テーブルに登録され、
前記印刷クライアント装置からの印刷要求に含まれるユーザ名が、前記プリンタアクセス管理テーブルに登録され、
前記印刷クライアント装置からの印刷要求に含まれるパスワードが、前記ユーザ情報管理手段の管理するパスワード情報テーブルに登録されていた場合に、前記印刷クライアント装置からの印刷要求を受理することを特徴とする請求項１記載のプリンタアクセス制御システム。
【請求項４】
前記サーバ装置は、
登録されたユーザのパスワード情報を登録したパスワード情報テーブルを管理するユーザ情報管理手段を有し、
前記アクセス制限手段は、
前記印刷クライアント装置からの印刷要求に含まれる印刷依頼プリンタ装置が、前記プリンタグループ管理手段の管理する前記プリンタ管理テーブルに登録され、
前記印刷クライアント装置からの印刷要求に含まれるユーザ名が、前記プリンタアクセス管理テーブルに登録されているか、または前記ユーザグループ管理手段の管理するユーザグループ管理テーブルに登録され、
前記印刷クライアント装置からの印刷要求に含まれるパスワードが、前記ユーザ情報管理手段の管理する前記パスワード情報テーブルに登録されていた場合に、前記印刷クライアント装置からの印刷要求を受理することを特徴とする請求項２記載のプリンタアクセス制御システム。
【請求項５】
印刷クライアント装置からの印刷要求に含まれる印刷データを蓄積し、プリンタ装置に蓄積した印刷データを送信するサーバ装置であって、
ネットワークを介して接続された複数のプリンタ装置をグループ化して登録したプリンタ管理テーブルを管理するプリンタグループ管理手段と、
前記プリンタ装置のグループ毎にユーザ情報を登録したプリンタアクセス管理テーブルを管理し、前記印刷クライアント装置からの印刷要求に含まれる印刷依頼プリンタ装置が、前記プリンタグループ管理手段の管理するプリンタ管理テーブルに含まれていない場合、または前記印刷クライアント装置からの印刷要求に含まれるユーザ名が、前記プリンタアクセス管理テーブルに登録されていない場合に、前記印刷クライアント装置からの印刷要求を拒否するアクセス制限手段と、
を有することを特徴とするサーバ装置。
【請求項６】
印刷クライアント装置からの印刷要求に含まれる印刷データを蓄積し、プリンタ装置に蓄積した印刷データを送信するサーバ装置におけるプリンタアクセス制御方法であって、
ネットワークを介して接続された複数のプリンタ装置をグループ化して登録したプリンタ管理テーブルを管理するプリンタグループ管理工程と、
前記プリンタ装置のグループ毎にユーザ情報を登録したプリンタアクセス管理テーブルを管理し、前記印刷クライアント装置からの印刷要求に含まれる印刷依頼プリンタ装置が、前記プリンタグループ管理工程で管理されるプリンタ管理テーブルに含まれていない場合、または前記印刷クライアント装置からの印刷要求に含まれるユーザ名が、前記プリンタアクセス管理テーブルに登録されていない場合に、前記印刷クライアント装置からの印刷要求を拒否するアクセス制限工程と、
を有することを特徴とするプリンタアクセス制御方法。
【請求項７】
印刷クライアント装置からの印刷要求に含まれる印刷データを蓄積し、プリンタ装置に蓄積した印刷データを送信するサーバ装置のプリンタアクセス制御プログラムであって、
前記サーバ装置に、
ネットワークを介して接続された複数のプリンタ装置をグループ化して登録したプリンタ管理テーブルを管理するプリンタグループ管理処理と、
前記プリンタ装置のグループ毎にユーザ情報を登録したプリンタアクセス管理テーブルを管理し、前記印刷クライアント装置からの印刷要求に含まれる印刷依頼プリンタ装置が、前記プリンタグループ管理処理で管理されるプリンタ管理テーブルに含まれていない場合、または前記印刷クライアント装置からの印刷要求に含まれるユーザ名が、前記プリンタアクセス管理テーブルに登録されていない場合に、前記印刷クライアント装置からの印刷要求を拒否するアクセス制限処理と、
を実行させることを特徴とするプリンタアクセス制御プログラム。
【請求項８】
請求項７記載のプリンタアクセス制御プログラムが記録されたことを特徴とするプリンタアクセス制御プログラムを記録した記録媒体。
【発明の詳細な説明】
【０００１】
【発明の属する技術分野】
本発明は、ネットワーク接続されたプリンタのプリンタアクセス制御システム、サーバ装置、プリンタアクセス制御方法、プリンタアクセス制御プログラム、および該プログラムを記録した記録媒体に関する。
【０００２】
【従来の技術】
従来、複数のワークステーションにより構築されたネットワークにネットワークプリンタとして接続されたプリンタのアクセス制御は、例えば、どのユーザに対してプリンタの使用を許可するかを決定するアクセス権の有無により指定されていた。しかし、このシステム制御では、許可されているユーザ毎の細かな条件を設定することができなかった。
【０００３】
この問題を解決する方法として、特開平８−３１４６８号公報では、プリンタにユーザ名を、アクセス権を示す情報として登録し、同時にそのユーザ毎の記録出力の制限をするプリンタアクセス情報を登録することにより、ユーザ毎のより細かな制御を行うネットワークプリンタ装置を提案している。
【０００４】
【発明が解決しようとする課題】
しかしながら、このネットワークプリンタ装置では、ネットワーク接続された複数のプリンタを同一の条件でアクセス制限を行う場合には、同じ操作をそれぞれのプリンタに対して行わなければならず、またアクセス条件を変更する等の場合にも１つ１つのプリンタに対して変更等の操作入力作業を行わなければならないため、大変手間がかかり、作業効率が悪くなるという問題が発生していた。
【０００５】
また、ネットワーク上に存在するサーバ装置上からアクセス制限を行う場合、サーバ経由の印刷のみしかアクセス制限が行えないという問題も有していた。
【０００６】
本発明は、従来の欠点を解消し、ネットワーク接続された複数のプリンタのアクセス制限の設定を容易に行うことができるプリンタアクセス制御システム、サーバ装置、プリンタアクセス制御方法、プリンタアクセス制御プログラム、および該プログラムを記録した記録媒体を提供することを目的とする。
【０００７】
【課題を解決するための手段】
かかる目的を達成するために、本発明のプリンタアクセス制御システムは、印刷要求を出力する印刷クライアント装置と、印刷クライアント装置からの印刷要求に含まれる印刷データを蓄積し、プリンタ装置に蓄積した印刷データを送信するサーバ装置と、サーバ装置から送られてきた印刷データを記録手段により用紙に記録出力するプリンタ装置とがネットワークに接続されたプリンタアクセス制御システムであって、サーバ装置は、ネットワークに接続された複数のプリンタ装置をグループ化して登録したプリンタ管理テーブルを管理するプリンタグループ管理手段と、プリンタ装置のグループ毎にユーザ情報を登録したプリンタアクセス管理テーブルを管理し、印刷クライアント装置からの印刷要求に含まれる印刷依頼プリンタ装置が、プリンタグループ管理手段の管理するプリンタ管理テーブルに含まれていない場合、または印刷クライアント装置からの印刷要求に含まれるユーザ名が、プリンタアクセス管理テーブルに登録されていない場合に、印刷クライアント装置からの印刷要求を拒否するアクセス制限手段とを有することを特徴とする。
【０００８】
上記のサーバ装置は、複数のユーザ名をグループ化して登録したユーザグループ管理テーブルを管理するユーザグループ管理手段を有し、アクセス制限手段は、印刷クライアント装置からの印刷要求に含まれる印刷依頼プリンタ装置が、プリンタグループ管理手段の管理するプリンタ管理テーブルに含まれていない場合、または印刷クライアント装置からの印刷要求に含まれるユーザ名が、プリンタアクセス管理テーブル及びユーザグループ管理テーブルに登録されていない場合に、印刷クライアント装置からの印刷要求を拒否するとよい。
【０００９】
上記のサーバ装置は、登録されたユーザのパスワード情報を登録したパスワード情報テーブルを管理するユーザ情報管理手段を有し、アクセス制限手段は、印刷クライアント装置からの印刷要求に含まれる印刷依頼プリンタ装置が、プリンタグループ管理手段の管理するプリンタ管理テーブルに登録され、印刷クライアント装置からの印刷要求に含まれるユーザ名が、プリンタアクセス管理テーブルに登録され、印刷クライアント装置からの印刷要求に含まれるパスワードが、ユーザ情報管理手段の管理するパスワード情報テーブルに登録されていた場合に、印刷クライアント装置からの印刷要求を受理するとよい。
【００１０】
上記のサーバ装置は、登録されたユーザのパスワード情報を登録したパスワード情報テーブルを管理するユーザ情報管理手段を有し、アクセス制限手段は、印刷クライアント装置からの印刷要求に含まれる印刷依頼プリンタ装置が、プリンタグループ管理手段の管理するプリンタ管理テーブルに登録され、印刷クライアント装置からの印刷要求に含まれるユーザ名が、プリンタアクセス管理テーブルに登録されているか、またはユーザグループ管理手段の管理するユーザグループ管理テーブルに登録され、印刷クライアント装置からの印刷要求に含まれるパスワードが、ユーザ情報管理手段の管理するパスワード情報テーブルに登録されていた場合に、印刷クライアント装置からの印刷要求を受理するとよい。
【００１１】
また、本発明のサーバ装置は、印刷クライアント装置からの印刷要求に含まれる印刷データを蓄積し、プリンタ装置に蓄積した印刷データを送信するサーバ装置であって、ネットワークを介して接続された複数のプリンタ装置をグループ化して登録したプリンタ管理テーブルを管理するプリンタグループ管理手段と、上記プリンタ装置のグループ毎にユーザ情報を登録したプリンタアクセス管理テーブルを管理し、上記印刷クライアント装置からの印刷要求に含まれる印刷依頼プリンタ装置が、上記プリンタグループ管理手段の管理するプリンタ管理テーブルに含まれていない場合、または上記印刷クライアント装置からの印刷要求に含まれるユーザ名が、上記プリンタアクセス管理テーブルに登録されていない場合に、上記印刷クライアント装置からの印刷要求を拒否するアクセス制限手段と、を有することを特徴とする。
また、本発明のプリンタアクセス制御方法は、印刷クライアント装置からの印刷要求に含まれる印刷データを蓄積し、プリンタ装置に蓄積した印刷データを送信するサーバ装置におけるプリンタアクセス制御方法であって、ネットワークを介して接続された複数のプリンタ装置をグループ化して登録したプリンタ管理テーブルを管理するプリンタグループ管理工程と、上記プリンタ装置のグループ毎にユーザ情報を登録したプリンタアクセス管理テーブルを管理し、上記印刷クライアント装置からの印刷要求に含まれる印刷依頼プリンタ装置が、上記プリンタグループ管理工程で管理されるプリンタ管理テーブルに含まれていない場合、または上記印刷クライアント装置からの印刷要求に含まれるユーザ名が、上記プリンタアクセス管理テーブルに登録されていない場合に、上記印刷クライアント装置からの印刷要求を拒否するアクセス制限工程と、を有することを特徴とする。
【００１２】
また、本発明のプリンタアクセス制御プログラムは、印刷クライアント装置からの印刷要求に含まれる印刷データを蓄積し、プリンタ装置に蓄積した印刷データを送信するサーバ装置のプリンタアクセス制御プログラムであって、上記サーバ装置に、ネットワークを介して接続された複数のプリンタ装置をグループ化して登録したプリンタ管理テーブルを管理するプリンタグループ管理処理と、上記プリンタ装置のグループ毎にユーザ情報を登録したプリンタアクセス管理テーブルを管理し、上記印刷クライアント装置からの印刷要求に含まれる印刷依頼プリンタ装置が、上記プリンタグループ管理処理で管理されるプリンタ管理テーブルに含まれていない場合、または上記印刷クライアント装置からの印刷要求に含まれるユーザ名が、上記プリンタアクセス管理テーブルに登録されていない場合に、上記印刷クライアント装置からの印刷要求を拒否するアクセス制限処理と、を実行させることを特徴とする。
また、本発明のプリンタアクセス制御プログラムを記録した記録媒体は、上記した本発明のプリンタアクセス制御プログラムが記録されたことを特徴とする。
【００１３】
【発明の実施の形態】
次に添付図面を参照しながら本発明のプリンタアクセス制御システム、サーバ装置、プリンタアクセス制御方法、プリンタアクセス制御プログラム、および該プログラムを記録した記録媒体に係る実施の形態を詳細に説明する。図１〜図９を参照すると本発明のプリンタアクセス制御システムに係る実施の形態が示されている。
【００１４】
図１には、本発明のプリンタアクセス制御システムに係る第１の実施形態の構成が示されている。図１に示されるように本実施形態は、プリンタ１、プリンタ２、パーソナルコンピュータ（以下、ＰＣ装置という）３、ＰＣ装置４、およびサーバ装置１０が、ＬＡＮ／ＷＡＮ１００を介してネットワーク接続されている。サーバ装置１０は、ＰＣ装置３あるいはＰＣ装置４からのプリンタ情報印刷リクエストに対し、登録されているアクセス制限情報に従って印刷制御を行う。なお、図１に示されたネットワーク構成においては、２台のプリンタとＰＣ装置とが接続された構成をとっているが、プリンタ、ＰＣ装置、サーバ装置の接続台数はこれに限定されるものではない。
【００１５】
図２には、サーバ装置１０の内部構成のブロック図が示されている。サーバ装置１０は、主に、システム制御部２０、ＬＡＮ／ＷＡＮ通信制御部２１、リクエスト処理部２２、印刷データ格納部２３、ユーザ情報管理部２４、印刷処理部２５、アクセス制限処理部２６、プリンタグループ情報管理部２７、およびユーザグループ情報管理部から構成され、各部がシステムバス２００により接続されている。
【００１６】
システム制御部２０は、システムバス２００を介してメモリ管理等システム全体の基本的制御を行う。
【００１７】
ＬＡＮ／ＷＡＮ通信制御部２１は、Ｅｔｈｅｒｎｅｔを介した通信の制御を行い、印刷リクエストを受信すると、受信した印刷リクエストをリクエスト処理部２２に通知する。また、印刷する場合は、印刷処理部２５より印刷データの送信リクエストを受け、データをＬＡＮ／ＷＡＮ１００を介してプリンタ１あるいはプリンタ２に送信する。
【００１８】
リクエスト処理部２２は、ＬＡＮ／ＷＡＮ通信制御部２１で受信した印刷リクエストの通知を受け、ターゲットプリンタ情報、ユーザ情報、あるいはパスワード等の情報を取得する。その後、アクセス制限処理部２６に印刷制限のチェック要求信号を送出する。なお、印刷データは、印刷データ格納部２３に格納される。
【００１９】
印刷データ格納部２３は、リクエスト処理部２２から送信された印刷データを格納する。ユーザ情報管理部２４は、登録されたユーザコードおよびパスワードを管理する。図５には、ユーザ情報管理部２４のユーザおよびパスワードの管理テーブルの格納例が示されている。
【００２０】
印刷処理部２５は、リクエスト処理部２２から入力された印刷リクエストの処理を行う。アクセス制限処理部２６は、リクエスト処理部２２から入力されたアクセス制限リクエストを受け、アクセス制限情報に従ってプリンタグループ情報管理部２７、ユーザ情報管理部２４およびユーザグループ情報管理部２８の管理情報を使用して印刷制限のチェックを行い、印刷してよいか否かの結果をリクエスト処理部２２に返送する。なお、図３には、アクセス制限処理部２６のアクセス制限情報についてのプリンタアクセス管理テーブルの格納例が示されている。
【００２１】
プリンタグループ情報管理部２７は、登録されたプリンタグループを管理する。図４には、プリンタグループ情報管理部２７のプリンタグループの管理テーブルの格納例が示されている。
【００２２】
ユーザグループ情報管理部２８は、ユーザグループを管理する。図６には、ユーザグループ情報管理部２８におけるユーザグループの管理テーブルの格納例が示されている。
【００２３】
次に、図７に示されたフローチャートを参照しながら、上記構成の実施形態による動作例を説明する。なお、ここでは、クライアント装置となるＰＣ装置から印刷リクエストを受信し、アクセス制限のチェックを行ってから印刷が実行される処理動作について説明する。
【００２４】
まず、ＬＡＮ／ＷＡＮ通信制御部２１は、印刷リクエストが受信されると、リクエスト処理部２２に受信した印刷リクエスト情報を通知する。リクエスト処理部２２は、印刷リクエスト情報からターゲットプリンタ、ユーザ、あるいはパスワードの情報を取得し、アクセス制限処理部２６に印刷の制限をするか否かの判断を依頼する（ステップＳ７０1 ）。
【００２５】
次に、アクセス制限処理部２６は、リクエスト処理部２２から渡されたプリンタ情報を元に、プリンタグループ情報管理部２７に対し、プリンタが登録されているプリンタグループ情報を取得するリクエストを通知する。プリンタグループ情報管理部２７は、図４に示されるプリンタ管理テーブルを検索し、プリンタが登録されているグループを取得する（ステップＳ７０２）。
【００２６】
アクセス制限処理部２６は、プリンタグループがあるか否かを判断し（ステップＳ７０３）、プリンタグループがない場合はリクエスト処理部２２に対し、印刷拒否を通知する（ステップＳ７１２）。ステップＳ７０３において、プリンタグループがあると判断した場合、アクセス制御処理部２６は図３に示されるプリンタアクセス管理テーブルのそのプリンタグループの項目に印刷リクエストしたユーザが登録されているか検索する（ステップＳ７０４）。
【００２７】
ステップＳ７０４の検索により、ユーザが存在したか否かを判断し（ステップＳ７０５）、ユーザが存在すると判断した場合は、パスワードチェックをユーザ情報管理部２４に対し行う。ユーザ情報管理部２４は、ユーザ管理テーブルに登録されているパスワードが一致しているか否かのチェックを行う（ステップＳ７０６）。
【００２８】
ステップＳ７０６でパスワードが一致していない場合は、アクセス制限処理部２６に対し一致していないことを通知し、印刷を拒否する。また、ステップＳ７０６でパスワードが一致したと判断した場合は、アクセス制限処理部２６はリクエスト処理部２２に対して印刷してもよいと通知し、リクエスト処理部２２は、印刷処理部２５を使用して印刷を実行する（ステップＳ７０７）。
【００２９】
ステップＳ７０５において、ユーザが存在しないと判断した場合は、グループ登録されている可能性があるため、ユーザグループ情報のチェックを行う。アクセス制限処理部２６は、ユーザグループ情報管理部２８対してユーザが登録されているユーザグループの取得リクエストを行う。ユーザグループ情報管理部２８は、図６に示されるユーザグループ管理テーブルから印刷リクエストしたユーザが含まれるユーザグループを検索する（ステップＳ７０８）。
【００３０】
ステップＳ７０８の検索によりユーザグループが存在するか否かを判断し（ステップＳ７０９）、ユーザグループが存在しないと判断した場合は、アクセス制限処理部２６に対し一致していないことを通知し、印刷を拒否する。
【００３１】
ステップＳ７０９でユーザグループが存在すると判断した場合、アクセス制限処理部２６は、プリンタアクセス管理テーブルに登録されているステップＳ７０２でで検索したグループ内にそのユーザグループが登録されているか検索を行う（ステップＳ７１０）。ステップＳ７１０の検索の結果、ユーザグループが存在するか否かを判断し（ステップＳ７１１）、ユーザグループが存在しないと判断した場合は印刷を拒否する。
【００３２】
ステップＳ７１１において、ユーザグループが存在すると判断した場合は、印刷リクエストしたユーザのパスワードチェックをユーザ情報管理部２４に対し行う。ユーザ情報管理部２４は、ユーザ管理テーブルに登録されているパスワードが一致しているか否かのチェックを行い（ステップＳ７０６）、パスワードが一致していると判断した場合はアクセス制限処理部２６に対し一致していないことを通知し、印刷を拒否する。また、ステップＳ７０６でパスワードが一致したと判断した場合は、アクセス制限処理部２６はリクエスト処理部２２に対して印刷してもよいと通知し、リクエスト処理部２２は、印刷処理部２５を使用して印刷を実行する（ステップＳ７０７）。
【００３３】
以上ように、複数のプリンタのアクセス制限をサーバ装置１０上で行えるため、設定作業を効率的に行うことができる。また、アクセス制限のユーザ登録がユーザグループで行うことができる。さらに、ユーザ名およびパスワードでアクセス制限の管理を実行できるため、セキュリティが向上し、操作性が上がる。
【００３４】
次に、本発明のプリンタアクセス制御システムに係る第２の実施形態について説明する。本実施形態は、システム構成は図１に示された第１の実施形態と同一であるが、ＰＣ装置（コンピュータ）３あるいはＰＣ装置４が、ユーザからの印刷リクエストに対し、サーバ装置１０から取得したプリンタアクセス制限情報を元に印刷制御を行うことに特徴を有している。
【００３５】
図８には、本実施形態のＰＣ装置３およびＰＣ装置４の内部構成を示すブロック図が示されている。このＰＣ装置３およびＰＣ装置４は、主に、システム制御部８０、ＬＡＮ／ＷＡＮ通信制御部８１、アクセス制限情報格納部８２、ＵＩ処理部８３、印刷処理部８４、およびアクセス制限処理部８５から構成され、各部がシステムバス８００により接続されている。
【００３６】
システム制御部８０は、システムバス８００を介してメモリ管理等システム全体の基本的制御を行う。
【００３７】
ＬＡＮ／ＷＡＮ通信制御部８１は、Ｅｔｈｅｒｎｅｔを介した通信の制御を行い、プリンタ１あるいはプリンタ２に対しての印刷指示、あるいはサーバ装置１０からのプリンタアクセス制限情報の取得を行う。
【００３８】
アクセス制限情報格納部８２は、サーバ装置１０から取得したプリンタアクセス制限情報を格納する。アクセス制限情報はアクセス不可能なプリンタの一覧をテーブルで持つ。
【００３９】
ＵＩ処理部８３は、ユーザからの印刷指示の処理を受け、印刷処理部８４に印刷指示を行う。
【００４０】
印刷処理部８４は、印刷処理を行う。その際、アクセス制限処理部８５に対しアクセス制限があるか否かの問い合わせを行う。
【００４１】
アクセス制限処理部８５は、アクセス制限情報格納部８２よりプリンタアクセス制限情報を取得しアクセス制限のチェックを行う。
【００４２】
次に、図９に示されたフローチャートを参照しながら、上記構成の実施形態による動作例を説明する。
【００４３】
まず、ＵＩ処理部８３でユーザからの印刷指示を受け取ると、ＵＩ処理部８３は印刷処理部８４に対して、印刷データ及びターゲットプリンタの情報を通知する（ステップＳ９０１）。
【００４４】
次に、印刷処理部８４は、アクセス制限処理部８５に対して印刷可能なプリンタか否かの問い合わせを行う（ステップＳ９０２）。
【００４５】
次に、アクセス制限処理部８５は、アクセス制限情報をサーバ装置１０から取得したか否かを判断し（ステップＳ９０３）、取得していないと判断した場合は、サーバ装置１０からアクセス制限情報を取得する（ステップＳ９０５）。
【００４６】
また、ステップＳ９０３で、サーバ装置１０からアクセス制限情報を既に取得していると判断した場合には、アクセス制限情報を取得してから予め設定された一定時間が経過したか否か、つまりプリンタアクセス制限が古くなっているか否かを判断する（ステップＳ９０４）。
【００４７】
ステップＳ９０４において、アクセス制限情報を取得してから予め設定された一定時間が経過していないと判断した場合は、次に印刷が可能なプリンタか否かを判断し（ステップＳ９０６）、アクセス制限処理部９５から印刷可能という指示が入力された場合は印刷を実行する（ステップＳ９０７）。
【００４８】
ステップＳ９０４において、アクセス制限情報を取得してから予め設定された一定時間が経過していると判断した場合は、サーバ装置１０からアクセス制限情報を取得して（ステップＳ９０５）、ステップＳ９０６に移る。また、ステップＳ９０６でアクセス制限処理部９５からアクセス制限対象であり、印刷不可という指示が入力された場合は、印刷を中止させる。
【００４９】
上述のように、サーバ装置経由以外の印刷処理に対してもプリンタへのアクセス制限を行うことが可能となるため、アクセス制限の適用範囲を広げることができる。
【００５０】
なお、上述した実施形態は、本発明の好適な実施の形態である。但し、これに限定されるものではなく、本発明の要旨を逸脱しない範囲内において種々変形実施が可能である。
【００５１】
【発明の効果】
ネットワーク接続されたサーバ装置にアクセス制限処理手段、プリンタグループ管理手段あるいはユーザグループ管理手段が搭載されており、ネットワーク上の複数のプリンタのアクセス制限をサーバ上で行うことができるため、アクセス条件の設定作業を効率よく行うことができる。
【００５２】
また、アクセス制限のユーザ登録をユーザグループで行うことができるため、作業効率が向上させることができる。
【００５３】
さらに、ユーザ名およびパスワードでアクセス制限の管理を行うことができるため、セキュリティおよび操作性を向上させることができる。
【００５４】
また、サーバ装置が印刷処理実行不可能なプリンタ装置の情報であるアクセス制限情報を管理し、印刷クライアント装置がサーバ装置からこのアクセス制限情報を取得し、印刷要求を出力するプリンタ装置を選択することにより、サーバ装置経由の印刷処理に関してもアクセス制限を実行させることが可能となり、アクセス制限の適用範囲を拡張させることができる。
【図面の簡単な説明】
【図１】本発明のプリンタアクセス制御システムの構成例を示す図である。
【図２】本発明に係るサーバ装置の内部構成例を示す機能ブロック図である。
【図３】プリンタアクセス管理テーブルの格納例を示す図である。
【図４】プリンタ管理テーブルの格納例を示す図である。
【図５】ユーザ管理テーブルの格納例を示す図である。
【図６】ユーザグループ管理テーブルの格納例を示す図である。
【図７】本発明のプリンタアクセス制御システムの制御例を示すフロー図である。
【図８】本発明に係るＰＣ装置の内部構成例を示す機能ブロック図である。
【図９】本発明のプリンタアクセス制御システムにかかるＰＣ装置の制御例を示すフロー図である。
【符号の説明】
１、２  プリンタ
３、４  ＰＣ装置（コンピュータ）
１０  サーバ装置
２０、８０  システム制御部
２１、８１  ＬＡＮ／ＷＡＮ通信制御部
２２  リクエスト処理部
２３  印刷データ格納部
２４  ユーザ情報管理部
２５、８４  印刷処理部
２６、８５  アクセス制限処理部
２７  プリンタグループ情報管理部
２８  ユーザグループ管理部
８２  アクセス制限情報格納部
８３  ＵＩ処理部
【図１】
0004120999.tif 000002
【図２】
0004120999.tif 000003
【図３】
0004120999.tif 000004
【図４】
0004120999.tif 000005
【図５】
0004120999.tif 000006
【図６】
0004120999.tif 000007
【図７】
0004120999.tif 000008
【図８】
0004120999.tif 000009
【図９】
0004120999.tif 000010